(57)【要約】【課題】使い勝手が良好で、かつ、必要に応じて交信部を装置筐体側にも配置可能なロッカ装置の提供を目的とする。【解決手段】ロッカ筐体１に形成された荷物収容室の開口を閉塞する扉体２と、扉体２を施解錠する施錠部３と、非接触型データキャリア４からのＩＤ信号を認証した際にアクチュエータ５を駆動して前記施錠部３を解錠状態に移行させるコントローラ６を備えたロッカ装置であって、前記データキャリア４を棒状に形成するとともに、扉体２には、データキャリア４との交信部７近傍にデータキャリア４をガイドするデータキャリア挿入部８が形成される。【選択図】  図２
2004218304.tif 000002
【特許請求の範囲】
【請求項１】
ロッカ筐体に形成された荷物収容室の開口を閉塞する扉体と、
扉体を施解錠する施錠部と、
非接触型データキャリアからのＩＤ信号を認証した際にアクチュエータを駆動して前記施錠部を解錠状態に移行させるコントローラを備えたロッカ装置であって、
前記データキャリアを棒状に形成するとともに、
扉体には、データキャリアとの交信部近傍にデータキャリアをガイドするデータキャリア挿入部が形成されるロッカ装置。
【請求項２】
前記データキャリアのデータキャリア挿入部への挿入を検出した際に、前記コントローラの交信信号発信部を起動し、データキャリアへの交信を開始する機械スイッチを有する請求項１記載のロッカ装置。
【請求項３】
前記交信部、コントローラ及びアクチュエータがロッカ筐体に配置される請求項１または２記載のロッカ装置。
【発明の詳細な説明】
【０００１】
【発明の属する技術分野】
本発明はロッカ装置に関するものである。
【０００２】
【従来の技術】
非接触型のデータキャリアに保持されたＩＤ情報を施解錠コードとして利用し、扉体の施解錠操作を行うロッカ装置としては、特許文献１に記載のものが知られている。
【０００３】
この従来例において、ロッカ側には、施解錠手段と施解鍵判別手段とが配置され、データキャリアはリストバンド状に形成されて利用者に配布される。小型化及び電池交換の煩を避けるために、データキャリアには電源は搭載されず、データキャリアへの給電は、施解鍵判別手段から送信される電磁波等を利用して行われる。
【０００４】
ロッカを使用する利用者がデータキャリアを施解鍵判別手段の近くにかざすと、施解鍵判別手段とデータキャリアとの間で交信が行われ、データキャリアが保持するＩＤ情報が施解鍵判別手段で認証されると、アクチュエータが駆動されて施解錠手段が解錠状態に移行し、扉体への開放操作が可能になる。
【０００５】
【特許文献１】
特開２００２−３２２８４０号公報
【０００６】
【発明が解決しようとする課題】
しかし、上述した従来例には以下の欠点がある。まず、データキャリアは非接触状態において施解鍵判別手段との交信を行うために、施解鍵判別手段の交信部に接近させるだけで解錠操作を行うことが可能であるが、解錠操作は、長年に渡ってキー挿入孔等の特定位置にキーを挿入することにより行われてきたために、高齢者等にあっては、この従来方法と全く異なる方法による操作方法へのとまどいが大きく、利用方法がわかりにくいという問題がある。
【０００７】
また、データキャリアと交信部との交信距離は長くないために、扉体表面にデータキャリアをかざすことによりデータキャリアと施解鍵判別手段との交信を行うためには、施解鍵判別手段の交信部は扉体表面に配置する必要がある。
【０００８】
一方、扉体は通常金属材料により形成されて交信電波に対してシールド体として機能するために、交信部を扉体側に配置する必要が生じるが、交信部、あるいはこれに結線されるコントローラを扉体側に配置すると、開閉操作される扉体への通電パスを形成する必要が生じ、構造が複雑になるという欠点がある。
【０００９】
これらの問題を防止するために交信可能距離を長く設定し、かつ、扉体に電波による交信可能な窓を形成することも可能であるが、この場合には、消費電力が大きくなる上に、隣接する施解鍵判別手段、あるいはデータキャリアとの混信が発生するという問題を惹起する。
【００１０】
本発明は、以上の欠点を解消すべくなされたものであって、使い勝手が良好で、かつ、必要に応じて交信部を装置筐体側にも配置可能なロッカ装置の提供を目的とする。
【００１１】
【課題を解決するための手段】
本発明によれば上記目的は、
ロッカ筐体１に形成された荷物収容室の開口を閉塞する扉体２と、
扉体２を施解錠する施錠部３と、
非接触型データキャリア４からのＩＤ信号を認証した際にアクチュエータ５を駆動して前記施錠部３を解錠状態に移行させるコントローラ６を備えたロッカ装置であって、
前記データキャリア４を棒状に形成するとともに、
扉体２には、データキャリア４との交信部７近傍にデータキャリア４をガイドするデータキャリア挿入部８が形成されるロッカ装置を提供することにより達成される。
【００１２】
非接触での解錠操作を可能とするために、ロッカ筐体１側には、該ロッカ筐体１に形成された荷物収容室の開口を閉塞する扉体２を施解錠する施錠部３と、この施錠部３をコントロールするコントローラ６が配置され、ロッカ利用者にはコントローラ６との交信が可能な非接触型データキャリア４が配布される。
【００１３】
データキャリア４にはＲＦＩＤ（Ｒａｄｉｏ  Ｆｒｅｑｕｅｎｃｙ  Ｉｄｅｎｔｉｆｉｃａｔｉｏｎ）タグのような無電源非接触データキャリアを使用することが可能であり、この場合、コントローラ６の交信部７は、データキャリア４側に駆動エネルギーを発生させ、データキャリア４を駆動する。データキャリア４が駆動されると、データキャリア４は、ＩＣチップから所定のＩＤコードを呼び出して出力信号を生成し、交信部７側に送信する。データキャリア４から受信した出力信号は、コントローラ６により照合され、設定値との一致が確認されると、アクチュエータ５への駆動信号を生成して施錠部３を解錠状態に移行させる。
【００１４】
交信部７とデータキャリア４とはデータキャリア４における駆動エネルギー発生及び交信方式に応じて種々のように構成することが可能であり、電磁誘導によりデータキャリア４に起電力を発生させる場合には、交信部７はデータキャリア４側のインダクタンスへの誘導電磁界の発生可能なコイルにより形成され、光通信により行う場合には、受光ダイオードと発光ダイオードが使用され、データキャリア４では交信部７側からの発光を光電変換して駆動電力を得る。また、上述した以外に、電磁結合型、あるいはデータキャリア４と信号交換素子とでコンデンサを構成する静電結合型が利用できる。
【００１５】
本発明において、上記データキャリア４は棒状に形成され、さらに、扉体２には、データキャリア４を挿入するためのデータキャリア挿入部８が形成され、解錠操作は、データキャリア４をデータキャリア挿入部８内に挿入して行われる。
【００１６】
データキャリア４を棒状に形成し、扉体２側にデータキャリア挿入部８を形成することにより、利用者は、従来の解錠キーを使用した解錠方法を想起するために、解錠操作が容易に類推され、使用に際してのとまどいがなくなる。
【００１７】
また、データキャリア挿入部８を設けることにより、データキャリア４を所定の位置まで接近させることを間接的に保証することができるために、データキャリア４と交信部７との交信の信頼性が向上する。
【００１８】
データキャリア４は、データキャリア挿入部８内に挿入させて交信部７との交信が可能であれば足りるために、単なる直杆状に形成することも可能であるが、データキャリア挿入部８内に挿入されることを利用して、データキャリア４を機械的操作部材としての機能を付加することができる。この場合、例えば、図４に示すように、データキャリア４を扉体２の引張取手として利用して扉体２の開放操作を行うことができる。
【００１９】
また、データキャリア４のデータキャリア挿入部８への挿入を検出した際に、前記コントローラ６の交信信号発信部９を起動し、データキャリア４への交信を開始する機械スイッチ１０を配置した場合には、コントローラ６をデータキャリア４が挿入されたときにのみ作動させることができるために、待機電流が必要なくなり、節電効果を高めることができる。
【００２０】
さらに、交信部７、コントローラ６及びアクチュエータ５をロッカ筐体１側に配置した場合には、扉体２側への通電ケーブルの布線が不要となるために、構造が簡単になる。
【００２１】
【発明の実施の形態】
図１、２に示すようにロッカ装置は、ロッカ筐体１内を仕切って形成された適数の荷物収容室の開口を扉体２により閉塞して形成される。扉体２の開閉側端縁部にはロッカ筐体１側に向けてロック杆２ａが突設される。
【００２２】
一方、ロッカ筐体１側には、上記ロック杆２ａの受容凹部１ａと、該受容凹部１ａに挿入されたロック杆２ａを係止して扉体２の閉塞状態を維持する施錠部３と、施錠部３を制御するコントローラ６が各扉体２に対応して設けられる。
【００２３】
施錠部３は、図２に示すように、メカ基板１１上にフック部材１２、制御レバー１３、ストッパレバー１４及びソレノイド（アクチュエータ５）を装着して形成される。フック部材１２は、受容凹部１ａに先端係止部１２ａが進退するように枢軸１２ｂ周りに回転自在で、図外のクリックスプリングにより、図示の姿勢、すなわち、先端係止部１２ａが受容凹部１ａ内に突出する姿勢と、斜辺１２ｃが受容凹部１ａ内に突出する姿勢のいずれかの姿勢で節度停止する。
【００２４】
ストッパレバー１４は、上記フック部材１２に形成されたストッパ段部１２ｄへの係止部１４ａを備えて枢軸１４ｂ周りに回動自在であり、図示の姿勢、すなわち、係止部１４ａがストッパ段部１２ｄに係止する姿勢側に付勢される。
【００２５】
制御レバー１３は、ソレノイド５のプランジャ５ａに打ち込まれたピン５ｂが挿通する係止凹部１３ａと、ストッパレバー１４に沿うストッパレバー操作部１３ｂとを備えてストッパレバー１４と同軸周りに回動自在に枢支される。
【００２６】
図２に示す施錠状態においては、フック部材１２の先端係止部１２ａは受容凹部１ａ内に突出しており、該受容凹部１ａ内に侵入したロック杆２ａの脱離経路を閉塞する。この状態において、フック部材１２はストッパレバー１４により時計回りの回転を規制されているために、ロック杆２ａの引き出し、すなわち、扉体２を開放方向への操作が禁止される。
【００２７】
これに対し、ソレノイド５を励磁してプランジャ５ａを突出位置まで移動させると、まず、制御レバー１３がピン５ｂに押されて時計回りに回転する。制御レバー１３の回転によりストッパレバー１４も時計回りに回転してストッパ段部１２ｄとの係止解除位置まで退避する。
【００２８】
この状態ではフック部材１２の時計回りの回転は禁止されないために、扉体２を開放方向に回転操作すると、ロック杆２ａは先端係止部１２ａを押しのけるようにしてフック部材１２を回転させながら、受容凹部１ａから脱離することができる（解錠状態）。
【００２９】
ロック杆２ａが受容凹部１ａから脱離した状態において、フック部材１２の斜辺１２ｃが受容凹部１ａ内に突出しており、これからロック杆２ａを受容凹部１ａ内に挿入すると、フック部材１２は再び反対姿勢に移動し、施錠状態に復帰する。
【００３０】
なお、図２において１５は電気系統の故障があった場合に扉体２を解錠するための非常用シリンダ装置を示す。
【００３１】
施錠部３をコントロールするコントローラ６は、後述するデータキャリア４と交信するアンテナ（交信部７）と、制御回路が構成された実装基板６ａとからなる。データキャリア４を過大に長寸にすることなくデータキャリア４に接近することができるように、交信部７はロッカ筐体１の表面部、正確には、閉扉状態において扉体２の開閉側端縁部２ｂが当接するストッパ面の表面に配置され、実装基板６ａはロッカ筐体１内部に収容される。
【００３２】
実装基板６ａの制御回路は、ロッカ筐体１内に配設される給電線（図示せず）により給電されて駆動され、上述したソレノイド５の駆動電力（解錠信号）を供給してソレノイド５を励磁するためのドライブ回路を含む。
【００３３】
コントローラ６の交信部７と交信するデータキャリア４は、図２に示すように、電磁誘導型のＲＦＩＤタグ４ａをホルダ４ｂ内に固定して形成される。このデータキャリア４は、断面円形の棒形状に形成され、該データキャリア４を挿入するためのデータキャリア挿入部８が扉体２に形成される。
【００３４】
データキャリア挿入部８は、有底の円形孔として形成され、ＲＦＩＤタグ４ａとの交信を可能とするために、金属製扉体２に開設された開口２ｃに嵌合される合成樹脂製カバー１６に形成される。また、このデータキャリア挿入部８は、図１に示すように、扉体２が閉じた姿勢で正面視において交信部７と重合する位置に配置される。
【００３５】
したがってこの実施の形態において、利用者がデータキャリア４をデータキャリア挿入部８に挿入すると、交信部７から発信される電波がＲＦＩＤタグ４ａ内のコイルに電磁誘導による起電力を発生させる。この起電力によりＲＦＩＤタグ４ａが起動されてＲＦＩＤタグ４ａ内のメモリＩＣから予め設定されたＩＤコードを読み出してＩＤ信号として送信する。交信部７を経由してこのＩＤ信号を受信したコントローラ６は、該ＩＤコードを自局に登録されたＩＤコードと比較し、一致している場合には、解錠信号を生成して施錠部３を解錠状態に移行させる。施錠状態への移行に伴って図外のマイクロスイッチが操作され、施錠状態で点灯している施錠状態表示ＬＥＤ１７が消灯する。
【００３６】
図３、４に本発明の第２の実施の形態を示す。なお、本実施の形態の説明において、上述した実施の形態と実質的に同一の構成要素は、図中に同一符号を付して説明する。
【００３７】
図３（ａ）、（ｂ）に示す実施の形態において、ロッカ筐体１側には押しボタンスイッチ（機械スイッチ１０）が固定され、交信部７はリング形状に形成されて上記押しボタンスイッチ１０を包囲するように配置される。この押しボタンスイッチ１０は、データキャリア挿入部８の底壁を貫通してデータキャリア挿入部８内に進入しており、データキャリア挿入部８にデータキャリア４を挿入させる、ＯＮとなり、制御回路の交信信号発信部９への電源投入が行われる。
【００３８】
したがってこの実施の形態において、データキャリア４の待ち受け時には、制御部への給電は停止されており、データキャリア４との交信、すなわち、電力消費は、利用者がデータキャリア４をデータキャリア挿入部８に挿入部に挿入することにより初めて行われるために、待機電力を低減させることができる。
【００３９】
図３（ｃ）〜（ｆ）に図３（ａ）、（ｂ）の変形例を示す。この変形例において、データキャリア挿入部８は底のない筒状に形成されて扉体２に対して相対回転自在であり、トーションスプリング１８により所定回転位置に付勢される。また、機械スイッチ１０は、回転スイッチであり、中央部に後述するデータキャリア４側に突設される突起４ｃの嵌合凹部１０ａが形成される。
【００４０】
データキャリア４には、図３（ｅ）、（ｆ）に示すように、データキャリア挿入部８の回り止め溝８ａに嵌合する回り止め突条４ｄが長手方向に突設される。
【００４１】
したがってこの変形例において、データキャリア挿入部８にデータキャリア４を挿入し、回転させると、先端の突起４ｃにより機械スイッチ１０が回転操作されて交信信号発信部９への電源投入が行われる。
【００４２】
図４に図３の他の変形例を示す。この変形例は、データキャリア４を扉体２の取手として利用する場合を示し、データキャリア４の先端には、抜け止め突起４ｅが突設され、握り部４ｆの基端部には、挿入方向のストッパ部４ｇが形成される。また、データキャリア挿入部８は筒形状に形成され、側壁部には、上記抜け止め突起４ｅの挿通溝８ｂが形成される。
【００４３】
したがってこの変形例において、データキャリア挿入部８にデータキャリア４を挿入した後、データキャリア４を回転させると、抜け止め突起４ｅがデータキャリア挿入部８の下端縁に係止して抜け止めされ、この状態でデータキャリア４を引っ張ると、扉体２を開放操作することができる。
【００４４】
【発明の効果】
以上の説明から明らかなように、本発明によれば、使い勝手が良好で、かつ、必要に応じて交信部を装置筐体側にも配置しても、確実に交信信頼性を維持することができる。
【図面の簡単な説明】
【図１】本発明を示す図で、（ａ）はロッカ装置の正面図、（ｂ）は（ａ）の１Ａ部拡大図である。
【図２】図１（ｂ）の２Ａ−２Ａ線断面図である。
【図３】本発明の第２の実施の形態を示す図で、（ａ）はデータキャリア挿入部近傍の正面拡大図、（ｂ）は（ａ）の３Ｂ−３Ｂ線断面図、（ｃ）は（ａ）の変形例を示すデータキャリア挿入部近傍の正面拡大図、（ｄ）は（ｃ）の３Ｄ−３Ｄ線断面図、（ｅ）はデータキャリアの側面図、（ｆ）は（ｅ）の３Ｆ方向矢視図である。
【図４】図３の他の変形例を示す図で、（ａ）はデータキャリア挿入部近傍の正面拡大図、（ｂ）は（ａ）の４Ｂ−４Ｂ線断面図、（ｃ）はデータキャリアの側面図、（ｄ）は（ｃ）の４Ｄ方向矢視図である。
【符号の説明】
１        ロッカ筐体
２        扉体
３        施錠部
４        データキャリア
５        アクチュエータ
６        コントローラ
７        交信部
８        データキャリア挿入部
９        交信信号発信部
１０      機械スイッチ
【図１】
2004218304.tif 000003
【図２】
2004218304.tif 000004
【図３】
2004218304.tif 000005
【図４】
2004218304.tif 000006